【手続補正書】
【提出日】平成24年8月13日(2012.8.13)
【手続補正１】
【補正対象書類名】特許請求の範囲
【補正対象項目名】全文
【補正方法】変更
【補正の内容】
【特許請求の範囲】
【請求項１】
圧着接合を形成する圧着プレス機（１）であって、
フレーム（２）と、
ダイ（１４）と、
前記フレーム（２）に対して可動であるプランジャ（１５）と、
前記フレーム（２）に取り付けられ、前記プランジャ（１５）を動かす駆動部（４）と、
ビーム（５）であって、前記駆動部（４）と前記プランジャ（１５）との間、および／または前記フレーム（２）と前記ダイ（１４）との間に配置されるビーム（５）と、
前記ビーム（５）の外面または内部に配置され、前記ビーム（５）の曲げを測定するセンサ（８）と、
を有し、
ａ）前記プランジャ（１５）または前記ダイ（１４）にかかる力（Ｆｐ）は、前記ビーム（５）の一部に付加され、前記一部は、前記駆動部（４）からの駆動力（Ｆｐ）または前記フレーム（２）からの支持力が付加される前記ビーム（５）の部分と部分の間に位置するか、または
ｂ）前記駆動部（４）からの駆動力（Ｆｐ）または前記フレーム（２）からの支持力は前記ビームの一部へ付加され、前記一部は、前記プランジャ（１５）または前記ダイ（１４）への力（Ｆｐ）が付加される前記ビーム（５）の部分と部分の間に位置することを特徴とする圧着プレス機（１）。
【請求項２】
請求項１に記載の圧着プレス機（１）であって、
前記ビーム（５）は、中心部と、前記中心部とつながる横棒とを有するＴ字型であることを特徴とする圧着プレス機（１）。
【請求項３】
請求項１または２に記載の圧着プレス機（１）であって、
前記ビーム（５）は、一片構造であることを特徴とする圧着プレス機（１）。
【請求項４】
請求項１から３のいずれか１項に記載の圧着プレス機（１）であって、
ａ）の場合、前記プランジャ（１５）または前記ダイ（１４）にかかる前記力（Ｆｐ）は前記中心部へ付加され、前記駆動力（Ｆｄ）または前記支持力は前記横棒に付加され、
ｂ）の場合、前記駆動力（Ｆｄ）または前記支持力は前記中心部に付加され、前記プランジャ（１５）または前記ダイ（１４）へかかる力（Ｆｐ）は、前記横棒へ付加されることを特徴とする圧縮プレス機（１）。
【請求項５】
請求項１から４のいずれか１項に記載の圧着プレス機（１）であって、
前記センサ（８）は、歪みゲージとして設計され、
ａ）の場合、前記センサ（８）は前記プランジャ（１５）または前記ダイ（１４）にかかる前記力（Ｆｐ）を付加する前記一部とは逆側に配置され、
ｂ）の場合、前記センサ（８）は前記駆動力（Ｆｐ）または前記支持力を付加する前記一部とは逆側に配置されることを特徴とする圧着プレス機（１）。
【請求項６】
請求項１から５のいずれか１項に記載の圧着プレス機（１）であって、
前記センサ（８）は、圧電センサとして設計され、
ａ）の場合、前記センサ（８）は前記プランジャ（１５）または前記ダイ（１４）にかかる前記力（Ｆｐ）を付加する前記一部とは逆側に配置され、
ｂ）の場合、前記センサ（８）は前記駆動力（Ｆｐ）または前記支持力を付加する前記一部とは逆側に配置されることを特徴とする圧着プレス機（１）。
【請求項７】
請求項１から６のいずれか１項に記載の圧着プレス機（１）であって、
前記ビームと、前記ビーム（５）が接続される他の部品との接触面は、前記接触面が配置される前記ビーム（５）の面全体に対して小さいことを特徴とする圧着プレス機（１）。
【請求項８】
圧着プレス機であって、
フレームと、
前記フレームに支持されるダイ（１４）と、
前記フレームに対して可動であるプランジャ（１５）と、
前記フレームに取り付けられ、前記プランジャ（１５）を動かす駆動部と、
ビームであって、前記駆動部と前記プランジャ（１５）との間に配置され、前記ビームは前記プランジャ（１５）にかかる力を受ける第１部分と、第２部分と第３部分とを有し、前記第１部分は前記第２部分と前記第３部分との間に置かれ、前記第２部分と前記第３部分は前記駆動部からかかる力を受ける前記ビームと、
前記ビームのたわみ時の曲げを測定するように構成されたセンサと、
を有することを特徴とする圧着プレス機。
【請求項９】
請求項８に記載の圧着プレス機であって、
前記ビームは、中心部と横棒とを有し、前記中心部と前記横棒でＴ字を形成することを特徴とする圧着プレス機。
【請求項１０】
請求項８に記載の圧着プレス機であって、
前記センサは歪みゲージであることを特徴とする圧着プレス機。
【請求項１１】
請求項８に記載の圧着プレス機であって、
前記歪みゲージは、前記第１部分とは逆側に配置されることを特徴とする圧着プレス機。
【請求項１２】
請求項８に記載の圧着プレス機であって、
前記センサは前記第１部分とは逆側に配置される圧電センサであることを特徴とする圧着プレス機。
【請求項１３】
圧着プレス機であって、
フレームと、
前記フレームに支持されるダイ（１４）と、
前記フレームに対して可動であるプランジャ（１５）と、
前記フレームに取り付けられ、前記プランジャ（１５）を動かす駆動部と、
ビームであって、前記フレームと前記ダイ（１４）との間に配置され、前記ビームは前記ダイ（１４）にかかる力を受ける第１部分と、第２部分と第３部分とを有し、前記第１部分は前記第２部分と前記第３部分との間に置かれ、前記第２部分と前記第３部分は前記フレームからかかる力を受ける前記ビームと、
前記ビームのたわみ時の曲げを測定するように構成されたセンサと、
を有することを特徴とする圧着プレス機。
【請求項１４】
請求項１３に記載の圧着プレス機であって、
前記ビームは、中心部と横棒とを有し、前記中心部と前記横棒でＴ字を形成することを特徴とする圧着プレス機。
【請求項１５】
請求項１３に記載の圧着プレス機であって、
前記センサは歪みゲージであることを特徴とする圧着プレス機。
【請求項１６】
請求項１３に記載の圧着プレス機であって、
前記歪みゲージは、前記第１部分とは逆側に配置されることを特徴とする圧着プレス機。
【請求項１７】
請求項１３に記載の圧着プレス機であって、
前記センサは前記第１部分とは逆側に配置される圧電センサであることを特徴とする圧着プレス機。
【請求項１８】
圧着プレス機であって、
フレームと、
前記フレームに支持されるダイ（１４）と、
前記フレームに対して可動であるプランジャ（１５）と、
前記フレームに取り付けられ、前記プランジャ（１５）を動かす駆動部と、
ビームであって、前記駆動部と前記プランジャ（１５）との間に配置され、前記ビームは前記駆動部の駆動力を受ける第１部分と、第２部分と第３部分とを有し、前記第１部分は前記第２部分と前記第３部分との間に置かれ、前記第２部分と前記第３部分は前記プランジャ（１５）にかかる力を受ける前記ビームと、
前記ビームのたわみ時の曲げを測定するように構成されたセンサと、
を有することを特徴とする圧着プレス機。
【請求項１９】
請求項１８に記載の圧着プレス機であって、
前記ビームは、中心部と横棒とを有し、前記中心部と前記横棒でＴ字を形成することを特徴とする圧着プレス機。
【請求項２０】
請求項１８に記載の圧着プレス機であって、
前記センサは歪みゲージであることを特徴とする圧着プレス機。
【請求項２１】
請求項１８に記載の圧着プレス機であって、
前記歪みゲージは、前記第１部分とは逆側に配置されることを特徴とする圧着プレス機。
【請求項２２】
請求項１８に記載の圧着プレス機であって、
前記センサは前記第１部分とは逆側に配置される圧電センサであることを特徴とする圧着プレス機。
【請求項２３】
圧着プレス機であって、
フレームと、
前記フレームに支持されるダイ（１４）と、
前記フレームに対して可動であるプランジャ（１５）と、
前記フレームに取り付けられ、前記プランジャ（１５）を動かす駆動部と、
ビームであって、前記フレームと前記ダイ（１４）との間に配置され、前記ビームは前記フレームからの支持力を受ける第１部分と、第２部分と第３部分とを有し、前記第１部分は前記第２部分と前記第３部分との間に置かれ、前記第２部分と前記第３部分は前記ダイ（１４）にかかる力を受ける前記ビームと、
前記ビームのたわみ時の曲げを測定するように構成されたセンサと、
を有することを特徴とする圧着プレス機。
【請求項２４】
請求項２３に記載の圧着プレス機であって、
前記ビームは、中心部と横棒とを有し、前記中心部と前記横棒でＴ字を形成することを特徴とする圧着プレス機。
【請求項２５】
請求項２３に記載の圧着プレス機であって、
前記センサは歪みゲージであることを特徴とする圧着プレス機。
【請求項２６】
請求項２３に記載の圧着プレス機であって、
前記歪みゲージは、前記第１部分とは逆側に配置されることを特徴とする圧着プレス機。
【請求項２７】
請求項２３に記載の圧着プレス機であって、
前記センサは前記第１部分とは逆側に配置される圧電センサであることを特徴とする圧着プレス機。